(57)【要約】      （修正有）【課題】機械強度を向上させる為ガラス繊維等で強化した補強シートのインサート材を用いた射出圧縮成形において、射出時の射出圧により補強シートに変形、破損等がない成形品の製造方法及び射出成形用金型の提供。【解決手段】強化繊維からなるクロスに熱可塑性樹脂Ａを含浸してなる補強シート１を、成形金型４，５内にインサートし、その後、熱可塑性樹脂Ｂ２をゲート６から成形金型内４，５に射出する射出工程、次いで、熱可塑性樹脂Ｂ２を成形金型４，５内に充填し圧縮する工程を有し、補強シート１と熱可塑性樹脂Ｂ２を一体化する製造方法において、成形金型４，５内には、ゲート６に略対向した位置の型閉め方向に圧接可能な可動ピン３が設けてあり、可動ピン３と、可動ピン３に対向する金型の表面とにより、補強シート１を狭持しており、射出された熱可塑性樹脂Ｂ２が補強シート１とゲート６に対向した金型面との間の空間に充填される成形品の製造方法。【選択図】図１
2015231703.tif 000002
【特許請求の範囲】
【請求項１】
強化繊維からなるクロスに熱可塑性樹脂Ａを含浸してなる補強シートを、成形金型内にインサート（挿入）し、その後、成形樹脂として熱可塑性樹脂Ｂをゲートから成形金型内に射出する射出工程、
次いで、前記熱可塑性樹脂Ｂを成形金型内に充填し圧縮する工程を有し、
前記補強シートと前記熱可塑性樹脂Ｂを一体化する複合成形品の製造方法において、
前記成形金型内には、ゲートに略対向した位置の型閉め方向に圧接可能な可動ピンが設けてあり、
射出工程では、前記可動ピンと、前記可動ピンに対向する金型の表面とにより、インサートした前記補強シートを狭持しており、射出された熱可塑性樹脂Ｂが補強シートの開口部を通り、補強シートとゲートに対向した金型面との間の空間に充填される成形品の製造方法。
【請求項２】
前記可動ピンの突当面先端に、中心から外周方向に貫通する溝が設けてある請求項１に記載の成形品の製造方法。
【請求項３】
前記可動ピンの突当面先端に、突起部が設けてある請求項１に記載の成形品の製造方法。
【請求項４】
前記可動ピンが、圧縮工程の開始と同時又は圧縮工程の途中で作動して金型内に収まる請求項１〜３いずれかに記載の成形品の製造方法。
【請求項５】
前記可動ピンが、成形金型内に複数設けてあり、射出された熱可塑性樹脂Ｂが、複数の前記可動ピン間の空隙を通り、補強シートとゲートに対向した金型面との間の空間に充填される請求項１〜４いずれかに記載の成形品の製造方法。
【請求項６】
熱可塑性樹脂Ｂを射出するゲートが、突起状である請求項１〜５いずれかに記載の成形品の製造方法。
【請求項７】
成形樹脂を射出するゲートを設けた金型と、前記ゲートに略対向した位置の型閉め方向に圧接可能な可動ピンが設けてある金型とを備えた、射出成形用金型。
【請求項８】
前記可動ピンの突当面先端に、中心から外周方向に貫通する溝が設けてある請求項７に記載の射出成形用金型。
【請求項９】
前記可動ピンの突当面先端に、突起部が設けてある請求項７に記載の射出成形用金型。
【発明の詳細な説明】
【技術分野】
【０００１】
本発明は、繊維強化熱可塑性樹脂からなる成形品の製造方法及び射出成形用金型に関し、特に補強シートをインサート（挿入）する成形品の製造方法に関する。
【背景技術】
【０００２】
構造用部材は、その要求強度に応じて、材質、肉厚が適正に選択される必要があるが、軽量化要求が高い分野では、無駄な重量を省くために部分補強が有効な場合が多い。例えば板金の溶接で構造体を製造する場合は、必要な部分だけを補強するために、細かな補強用部品の溶接で軽量化が図られることがある。一方、形状自由度の高い樹脂成形品の場合は、偏肉やリブ補強といった部分補強は容易ではあるが、これらの部分補強のみでは元の素材強度が低いため、更に強度を上げる必要がある。そこで強度向上のため補強部材をインサートする工法が取られてきた。このように軽量化が求められる構造用部材においては部分補強の工夫がなされてきており、とりわけ樹脂材料による高強度化が有効なパソコン、家電製品、医療機器、自動車部品等の分野ではインサートによる部分補強が頻繁に用いられてきた。
【０００３】
従来より、高強度が求められる樹脂製品の場合、一般にガラス、カーボン等の強化繊維を複合させた材料を用い、射出成形、プレス成形等を行うことで、高強度な製品を製造してきた。これらに用いられる強化繊維は、繊維長が長いほど複合材料の衝撃特性が高いため、特に金属に代替するような高強度分野においては連続強化繊維を用いることがある。しかし、連続強化繊維を用いた成形や加工は不連続の短繊維強化材料に比べて変形自由度が低いために単工程での賦形ができず生産性が低いという問題があった。
【０００４】
そこで連続繊維強化材料に予め樹脂を含浸させた材料（以後補強シートと称する）を補強材とし、この補強シートを金型内に配設し、樹脂材料で射出や圧縮成形を行うことで部分補強された成形品を得るという方法が取られてきた。しかし射出成形の場合は、高い射出圧力がインサートした補強シートに加わるために十分な固定がないと補強シートの位置ずれ、変形、破損等を発生させてしまう。
【０００５】
射出成形における、インサートした補強シートの固定方法としては、予め補強シートに突形状を設けておき、金型に設けた凹形状に嵌め合わせ固定する方法が知られている（例えば特許文献１参照）。
【０００６】
しかしながらこの方法では、製造工数の増加や製品として部分的に突形状が残るか、もしくは孔形状が残ってしまう等の問題があり、多用することは製品形状の自由度を阻害してしまい実用的ではない。
【先行技術文献】
【特許文献】
【０００７】
【特許文献１】特開２０１２−８６５５６号公報
【発明の概要】
【発明が解決しようとする課題】
【０００８】
本発明はかかる状況に鑑みなされたもので、機械強度を向上させるためガラス繊維等で強化した補強シートのインサート材を用いた射出圧縮成形において、射出時の射出圧により補強シートに変形、破損等がないようにする成形品の製造方法及び射出成形用金型を提供することを目的とする。
【課題を解決するための手段】
【０００９】
本発明は、以下に関する。
（１）強化繊維からなるクロスに熱可塑性樹脂Ａを含浸してなる補強シートを、成形金型内にインサート（挿入）し、その後、成形樹脂として熱可塑性樹脂Ｂをゲートから成形金型内に射出する射出工程、次いで、前記熱可塑性樹脂Ｂを成形金型内に充填し圧縮する工程を有し、前記補強シートと前記熱可塑性樹脂Ｂを一体化する複合成形品の製造方法において、前記成形金型内には、ゲートに略対向した位置の型閉め方向に圧接可能な可動ピンが設けてあり、射出工程では、前記可動ピンと、前記可動ピンに対向する金型の表面とにより、インサートした前記補強シートを狭持しており、射出された熱可塑性樹脂Ｂが補強シートの開口部を通り、補強シートとゲートに対向した金型面との間の空間に充填される成形品の製造方法。
（２）前記可動ピンの突当面先端に、中心から外周方向に貫通する溝が設けてある（１）に記載の成形品の製造方法。
（３）前記可動ピンの突当面先端に、突起部が設けてある（１）に記載の成形品の製造方法。
（４）前記可動ピンが、圧縮工程の開始と同時又は圧縮工程の途中で作動して金型内に収まる（１）〜（３）いずれかに記載の成形品の製造方法。
（５）前記可動ピンが、成形金型内に複数設けてあり、射出された熱可塑性樹脂Ｂが、複数の前記可動ピン間の空隙を通り、補強シートとゲートに対向した金型面との間の空間に充填される（１）〜（４）いずれかに記載の成形品の製造方法。
（６）熱可塑性樹脂Ｂを射出するゲートが、突起状である（１）〜（５）いずれかに記載の成形品の製造方法。
（７）成形樹脂を射出するゲートを設けた金型と、前記ゲートに略対向した位置の型閉め方向に圧接可能な可動ピンが設けてある金型とを備えた、射出成形用金型。
（８）前記可動ピンの突当面先端に、中心から外周方向に貫通する溝が設けてある（７）に記載の射出成形用金型。
（９）前記可動ピンの突当面先端に、突起部が設けてある（７）に記載の射出成形用金型。
【発明の効果】
【００１０】
このように、本発明によれば、機械強度を向上させるためガラス繊維等で強化した補強シートのインサート材を用いた射出圧縮成形において、インサートする補強シートを金型に固定、位置決めするために、吸引機構を設けたり、突起部材を凸設したりといった特別な前加工を施すことなく、インサートした補強シートを、可動ピンで狭持することのみで金型の所定位置に固定、位置決めし、かつ射出時の射出圧により補強シートに変形、破損等がない成形品の製造方法及び射出成形用金型を提供することができる。
【図面の簡単な説明】
【００１１】
【図１】本発明の成形品の製造方法に係わる射出圧縮成形の模式図であり、（ａ）は射出した直後、（ｂ）は圧縮時の模式図である。
【図２】可動ピン先端に流路となる溝を設けていないピンにより、補強シートを狭持している模式図であり、（ａ）は２本、（ｂ）は３本、（ｃ）は４本で狭持している模式図である。
【図３】先端に突起を設けた可動ピンの模式図である。
【図４】ゲート部を突起状にした模式図であり、（ａ）は射出した直後、（ｂ）は圧縮時の模式図である。
【図５】可動ピン先端の分割された流路となる溝の模式図であり、（ａ）は２分割、（ｂ）は３分割、（ｃ）は４分割された溝の模式図である。
【図６】先端が２分割された可動ピンで補強シートを狭持している模式図である。
【図７】シリンダーにより可動ピンを制御する模式図であり、（ａ）は射出した直後、（ｂ）は圧縮時の模式図である。
【図８】実施例の成形結果断面で、(ａ)は射出した直後、（ｂ）は圧縮時の模式図である。
【図９】比較例の成形結果断面で、(ａ)は射出した直後、（ｂ）は圧縮時の模式図である。
【発明を実施するための形態】
【００１２】
以下、本発明の成形品の製造方法及び射出成形用金型について、図面を用いながら説明する。
【００１３】
図１は本発明の可動ピンに樹脂流路となる溝を設けた場合の射出圧縮成形の模式図である。（ａ）は射出した直後（ｂ）は圧縮時の模式図を表す。
【００１４】
インサートした補強シート１は可動ピン３により狭持されゲート側金型５の所定位置に位置決め、固定されている。可動ピン３により狭持していることで、ゲート部６での強い射出圧に対し補強シート１の保持を可能としている。
可動ピン３とこれと対向するゲート側金型５によりインサートした補強シート１を狭持することにより、インサート材を用いた射出成形ではゲート６付近を可動ピン３で押さえていない場合に生じる、高い射出圧により補強シート１が移動してしまい、位置ずれや変形を起こしたり、射出樹脂（成形樹脂）２に沿って補強シート１が膨れたりする等の問題が発生しない。
そして、補強シート１が金型内にしっかりと固定されていなければ、位置ずれを起こし補強効果に偏りが生じてしまい、その結果、成形品の強度にもばらつきが発生し安定した品質の製品の生産できなくなるが、可動ピン３とこれと対向するゲート側金型５によりインサートした補強シート１を狭持することにより、成形品の強度にばらつきも発生せず、安定した品質の製品の生産が可能となる。
【００１５】
射出成形用金型（又は成形金型）は、図１に示すように、成形樹脂２を射出するゲート６を設けたコア型金型５と、前記ゲート６に略対向した位置の型閉め方向に圧接可能な可動ピン３が設けてあるキャビティ型金型４とを備えている。なお、ゲート６に略対向した位置とは、ゲート６直上、又は、ゲート６の周囲である。可動ピン３が、ゲート６の直上に位置した場合は、可動ピン３によりゲート６が塞がれた形となるため、可動ピン３の突当面先端は、成形樹脂２の流れ（流動）を塞がない形状とする。成形樹脂２の流れ（流動）を塞がない形状としては、成形樹脂２の流れ（流動）を塞がない機能を有していれば、特に限定しないが、可動ピン３の突当面先端に、中心から外周方向に貫通する溝を設けてもよく、あるいは、突起部を設けてもよい。
【００１６】
補強シート１を狭持する可動ピン３は１本でもよい。補強シート１に開口部７を設けることにより、可動ピン３が１本でも、射出時の射出圧による補強シート１の位置ずれや変形を防止している。なお、可動ピン３が１本の場合は、固定箇所（狭持箇所）が１箇所であるため、成形品に残る、可動ピン３による孔形状が目立ち難いなど外観上好適な点もあり、また、可動ピン３を金型に１本設置する方が、可動ピン３を金型に複数設置するよりは、作業的にも、技術的にも容易である。
【００１７】
射出された成形樹脂２は、補強シート１のゲート６に略対向した位置に設けた開口部７及び可動ピン３の突当面先端の中心から外周方向に貫通する空隙を通り、補強シート１と平行方向に流動することができる。
また、成形金型内では、ゲート６に略対向した位置の型閉め方向に圧接可能な可動ピン３が設けてある。ゲート６に略対向した位置とは、ゲート６直上、又は、ゲート６の周囲であり、可動ピン３が、ゲート６の直上に位置した場合は、可動ピン３によりゲート６が塞がれた形となる。
図３又は図５に示したように、可動ピン３の突当面先端に、突起部１１、又は、溝９が設けてある場合、可動ピン３により、ゲート６が塞がれても、可動ピン３の突当面と、ゲート６の間に隙間が生じるため、この隙間が、可動ピン３の突当面先端の中心から外周方向に貫通する空隙となる。なお、可動ピン３がゲート６の周囲に設けられている場合でも同様に、可動ピン３の突当面先端に、突起部１１、又は、溝９が設けてあれば、可動ピン３の突当面と、補強シート１の間に隙間が生じ、それが可動ピン３の突当面先端の中心から外周方向に貫通する空隙となる。
【００１８】
図１に示したように、可動ピン３はスプリング機構８等によりゲート６に略対向した位置の型閉め方向に圧接可能であることで金型開閉動作には関係しない持続した圧接が可能となり、射出時のみならず圧縮工程でも補強シート１を挟持し続けることができる。可動ピン３の圧接は上記のスプリング機構８以外に油圧或いはエア圧のシリンダー機構更には電動モータによる機構等が挙げられるが、もっとも安価なスプリング機構８が好ましい。
また、可動ピン３先端の形状を設定することで、まず射出した成形樹脂２の樹脂圧を可動ピン３先端で受け、その後流路となる溝を経由し補強シート１と平行方向に流動させることが可能である。補強シート１が樹脂圧を直接受けることがないため、目開きの変形や補強シート１の位置ずれを防止できる。また射出した成形樹脂２の流動方向は、溝の設定により任意の方向に制御可能としている。尚、可動部はピン形状に限定するものではなくブロック状でもよく、ゲート側の型面に当接する面が用意されていればよい。
【００１９】
図２は可動ピン３先端に流路となる溝を設けていないピンにより、補強シート１を狭持している模式図である。（ａ）は２本、（ｂ）は３本、（ｃ）は４本で狭持している模式図である。可動ピン３に溝を設けない場合は、ゲート６を中心に、ゲート６に略対向する位置を複数の可動ピン３で狭持し、補強シート１を金型に位置決め、固定する方法を取ってもよい。この場合でも可動ピン３はゲート６に略対向する位置を狭持しているもののゲート６を塞いではおらず、ゲート６から射出された成形樹脂２は補強シート１の開口部７及び可動ピン３間の空隙を通り、金型内に充填される。
圧縮工程では可動ピン３はシリンダー機構等により型動作と同時に作動して金型の内部に収まり、型締めを行うことで成形品に凹形状を残さずに、金型内に補強シート１、射出樹脂（成形樹脂）２を圧縮充填することができる。
可動ピン３の数は、１つのゲート６に対し２本以上であれば特に限定されるものではないが、補強シートを安定して位置決め、固定するためには３〜４本が好ましい。可動ピン３の径はφ１０〜７０ｍｍ程度が好ましい。さらにφ３０〜５０ｍｍ程度がより好ましい。隣り合う可動ピン３の距離は、空隙として２０〜９０ｍｍ程度あることが好ましい。さらに４０〜７０ｍｍ程度がより好ましい。
【００２０】
図３は先端に突起部１１を設けた可動ピン３の模式図である。（ａ）は丸ピン、（ｂ）は角ピンを取り付けた模式図である。先端に流路となる溝を設けない場合、溝の代わりに可動ピン３の先端に突起となる丸ピンや角ピン等を取り付け、これらの突起部分で補強シート１を狭持してもよい。この場合でも可動ピン３により補強シート１を金型内に狭持しながら、同時に射出した熱可塑性樹脂（成形樹脂）が、補強シート１の開口部７及び突起部１１の空隙を通り補強シート１の面方向に流動可能となる。
【００２１】
図４は射出圧縮成形においてゲート部１２を突起状にした模式図であり、（ａ）は射出した直後、（ｂ）は圧縮時の模式図である。補強シート１を精度良く位置決めするためには、ゲート部１２を突起状にして、ゲート部１２の突形状と同等の径となるように補強シート１に開口部７を設け、突起状のゲート部１２と開口部７を嵌め合わせ、位置決めを行った部分を可動ピン３で狭持してもよい。
この場合、成形品には、突起状のゲート部１２に起因する孔形状が残ってしまうが、一般的にはゲート部１２は製品面の裏面になるため、補強シート１に高精度な位置決めを要する場合には有効である。可動ピン３はスプリング機構８によりゲート１２に略対向した位置の型閉め方向に圧接可能であることで、金型開閉動作には関係しない持続した圧接が可能となり、射出時のみならず圧縮工程でも補強シート１を挟持し続けることができる。
【００２２】
図５は可動ピン先端の分割された流路となる溝９の模式図である。（ａ）は２分割、（ｂ）は３分割、（ｃ）は４分割された流路となる溝９の模式図である。可動ピン３の突当面先端に中心から外周方向に貫通する流路となる溝９が設けてあることにより、補強シート１を金型内に狭持しながら、射出した成形樹脂（熱可塑性樹脂）２が、補強シート１の面方向に流動することを可能としている。
突当面先端の分割数は２分割以上であれば、特に限定されるものではない。先端の強度及び均等に樹脂を広げることを考慮すれば、分割数は３〜５分割が好ましい。可動ピン３の径はφ１０〜７０ｍｍ程度が好ましい。さらにφ３０〜５０ｍｍ程度がより好ましい。
流路となる溝９の幅は１〜５ｍｍ程度が好ましい。さらに２〜４ｍｍ程度がより好ましい。本発明による形状であれば溝の加工がし易く、射出した成形樹脂２を溝方向に流動させることができ、成形樹脂２の流れ方向を制御することが可能となる。また射出圧を可動ピン３先端で受けるので、補強シート１が射出圧を直接受けることがなく目開きの変形や破損を防げ、可動ピン３の先端が磨耗した際には、可動ピン３のみを交換すれば良く、金型ごと修理するときに比べ、修理作業が短期間、低コストで済む。
【００２３】
図６は先端が２分割された可動ピン３で補強シート１を狭持している模式図である。射出された成形樹脂は、補強シート１の開口部７及び可動ピン３先端の流路となる溝９を通り、矢印の方向に補強シート１上を均等に広がる。
なお、突当面先端が複数分割されていても、成形樹脂は２分割の場合と同様に流路となる溝９を通り均等に広がる。尚、分割は特に均等で無いことが要求される場合もあるため、溝の設定は任意に選択することができる。
【００２４】
図７は可動ピン３の制御において、スプリング機構ではなく、シリンダー１０を用いて制御を行う射出圧縮成形の模式図である。（ａ）は成形樹脂２を射出した直後、（ｂ）は圧縮時の模式図を表す。シリンダー１０により可動ピン３は、圧縮工程の開始と同時か、又は、圧縮工程の途中で作動して金型内に収まることで、成形品に可動ピン３の凹形状を残すことなく成形を行うことができる。
【００２５】
本発明に使用される補強シートの強化繊維（クロス）とは、樹脂成形体を補強するものであって、その材質は特に限定されるものではない。繊維状の単線あるいは束状態で織り込み、編み込むことでクロス状にすることができるものが用いられる。
具体的にはガラス繊維、カーボン繊維、金属繊維のほかに樹脂材によるもの（樹脂繊維）も使用できる。樹脂繊維の場合は、含浸する熱可塑性樹脂の溶融温度で溶融、劣化せずに補強効果をもたらすものであれば良く、含浸樹脂にもよるが、パラ系アラミド繊維、ポリアリレート繊維等を用いることも可能である。繊維径はとくに限定されるものではない。繊維の使用量によって単位面積当たりの重量が決まり、補強効果も変わる。一般に目付けとして単位面積当たりの質量（ｋｇ／ｍ２）により表されるが、これを選択することで、要求強度、質量に対応することができる。
【００２６】
目的とする成形品の形状自由度を達成する上では、設計自由度が高いだけでなく、コスト的にも有利な熱可塑性樹脂を成形樹脂とする。実際の家電製品、自動車部品を見ても明らかなように、形状を持つ成形品のほとんどに熱可塑性樹脂が用いられている。
本発明では、成形樹脂は熱可塑性樹脂とした。また補強シートの含浸材料も、成形樹脂と同等の熱的特性を持つことが好ましいため、同様に熱可塑性樹脂とした。樹脂としては熱可塑性樹脂であれば特に限定されるものではない。また補強シートの含浸樹脂が熱可塑性樹脂であることで成形時の熱により可とう性を持ち、成形樹脂の樹脂圧により型に密着し転写性を向上させることもできる。
【００２７】
補強シート部と成形樹脂部は、線膨張係数が異なるため成形収縮時、または環境下における膨張収縮挙動において熱応力を発生させる。このため樹脂の伸び特性によっては大きな変形やクラックが発生してしまうことから、成形樹脂にガラス繊維を複合させた材料を用いることが好ましい。この場合、成形樹脂中のガラス繊維含有量は１０〜７０質量％程度が好ましい。さらに２０〜４０質量％程度がより好ましい。
【００２８】
本発明の成形品の製造方法においては、補強シートを成形金型内にインサートし、成形樹脂を射出した後に圧縮をして成形を完了させる工程となっている。このため射出時点では金型は型締め完了位置より後退した状態となっており、製品端末部は食いきり構造か加圧可動式の突き当てブロックが設けられていることが好ましい。この射出圧縮の目的は、射出樹脂圧を低減し補強シートの破損、変形を防ぐものである。成形形状やゲート点数にもよるが、樹脂圧は１０ＭＰａ以下が好ましい。
また射出後の圧縮工程に関しては、ストロークが長いほど加圧流動に期待できるため射出圧を低減できるが、流動長が長くなる、あるいは樹脂温降下を招くことから適切な選択が必要となる。圧縮ストロークは３〜１５ｍｍとすることが好ましい。また圧縮工程は射出後の加圧タイミング及び速度が速いほど樹脂圧上昇を防ぐため電動によるものが好ましい。
【００２９】
本発明の成形品の製造方法においては、補強シートの含浸樹脂（熱可塑性樹脂Ａ）と、成形樹脂（熱可塑性樹脂Ｂ）が相溶性を有することが好ましい。含浸樹脂および成形樹脂は共に熱可塑性樹脂であれば特に限定しないとしたが、両者は相互に密着していることは強度的、環境信頼性といった面から好ましい。例えば含浸材料がポリアミド樹脂であれば、これと相溶性のあるポリアミド樹脂の材料が好ましい。この組み合わせは相溶性があれば特に限定されるものではない。
さらに、補強シートの含浸樹脂（熱可塑性樹脂Ａ）及び成形樹脂（熱可塑性樹脂Ｂ）としては、引張強度、衝撃強度といった機械的強度の点から、ラジカル開始剤の存在下で、ポリプロピレン樹脂とアルキルフェノール樹脂とを反応させ得られた変性ポリプロピレン樹脂が好ましい。
【００３０】
ポリプロピレン樹脂とは、プロピレンの重合体であるが、他のモノマーとの共重合体も含むものである。また、ポリプロピレン樹脂の例には、ホモポリプロピレン、プロピレンとエチレンおよび炭素数４〜１０のαオレフィンとのブロック共重合体（「ブロックポリプロピレン」ともいう）、プロピレンとエチレンおよび炭素数４〜１０のαオレフィンとのランダム共重合体（「ランダムポリプロピレン」ともいう）が含まれる。また、アルキルフェノール樹脂とは、ノボラック型フェノール樹脂またはレゾール型フェノール樹脂をいう。また、ラジカル開始剤は、公知のものが用いられるが、ポリプロピレン樹脂とアルキルフェノール樹脂間の反応を起こさせるものであればよい。これらを反応させる方法は特に限定されないが、本発明におけるラジカル開始剤の例には、メチルエチルケトンパーオキサイド、シクロヘキサノンパーオキサイド等のケトンパーオキサイド類；ｎ−ブチル４，４ービス（ｔ−ブチルパーオキシ）バレレート、２，２−ビス（ｔ−ブチルパーオキシ）ブタン等のパーオキシケタール類；ｔ−ブチルハイドロパーオキサイド、クメンハイドロパーオキサイド、ジ−ｉ−プロピルベンゼンハイドロパーオキサイド、ｐ−メンタンハイドロパーオキサイド、１，１，３，３−テトラメチルブチルハイドロパーオキサイド等のハイドロパーオキサイド類；ジ−ｔ−ブチルパーオキサイド、ｔ−ブチルクミルパーオキサイド、ジクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキセン−３等のジアルキルパーオキサイド類；ｔ−ブチルパーオキシアセテート、ｔ−ブチルパーオキシオクトエート、ｔ−ブチルパーオキシ３，５，５−トリメチルヘキサノエート、ｔ−ブチルパ−オキシラウレート、ｔ−ブチルパーオキシベンゾエート、ジ−ｔ−ブチルジパーオキシイソフタレート等のパーオキシエステル類；２，５−ジメチル−２，５−ジ（ベンゾイルパーオキシ）ヘキサン、ｔ−ブチルパーオキシマレイックアシッド、ｔ−ブチルパーオキシｉ−プロピルカーボネート等のパーオキシエステル類が含まれる。この中でも、ジーｔ−ブチルパーオキサイド、ｔ−ブチルクミルパーオキサイド、ジクミルパーオキサイドが好ましく用いられる。
【００３１】
本発明の成形品の製造方法は、家電製品、医療機器、自動車部品等に広く適用できるものであるが、これらは低コストであることが好ましい。本発明では、樹脂コストが安価であり耐薬品性等も良好で、すでに広く普及しているポリプロピレン樹脂を補強シートの含浸樹脂、成形樹脂に適用することが好ましい。さらに強化繊維も広く使われているガラス繊維が好ましい。
【実施例】
【００３２】
以下、実施例を挙げて本発明を詳細に説明するが、本発明は、以下の実施例に限定されるものではない。
【００３３】
（実施例１）
強化繊維によるクロスは、ガラス繊維径１７μｍ、本数２０００本のストランドを用いたもので目付け４００ｇ／ｍ２に平織りしたガラスクロスを用いた。
含浸樹脂である熱可塑性樹脂Ａとしては、ラジカル開始剤（有機過酸化物；０．４質量部）の存在下で、ポリプロピレン樹脂（９８．６質量部）と、アルキルフェノール樹脂（１．０質量部）とを、２００℃で、１０分反応させ、得られた変性ポリプロピレン樹脂を用いた。
含浸プレスは３０トン熱プレス成形機により、前記ガラスクロスと、前記変性ポリプロピレン樹脂を重ねて、２２０℃で、５分間、面圧０．１〜５ＭＰａの加圧で行い補強シートを作製した。この時、補強シートに直径２０ｍｍの開口部を設けた。
【００３４】
成形は補強シートを勾配１５度の傾斜部分を持つ金型にセットして行った。補強シートは、直径５０ｍｍで突当面先端が３分割され、先端に幅４ｍｍで深さ１０ｍｍの溝が加工された、図５の（ｂ）の模式図のような可動ピン１本により狭持し金型内に固定した。
可動ピンはスプリング機構によりゲートに略対向した位置の型閉め方向に圧接可能であり金型開閉動作には関係しない持続した圧接が可能である。
成形樹脂である熱可塑性樹脂Ｂとしては、前記変性ポリプロピレン樹脂にチョップドガラス繊維を混練したＧＦＲＰ（Ｇｌａｓｓ  Ｆｉｂｅｒ  Ｒｅｉｎｆｏｒｃｅｄ  Ｐｌａｓｔｉｃ以下ＧＦＲＰ、ガラス繊維含有量；３０質量％）を用いた。なお、前記成形樹脂（ＧＦＲＰ）の射出・圧縮条件としては、２００℃、樹脂圧１０ＭＰａとし、成形品を作製した。
【００３５】
成形品の断面を図８に示す。(ａ）は射出直後の模式図、（ｂ）は圧縮時の模式図を表す。
片側（ゲートのあるコア金型面）には、補強シート１は露出したが、成形品のコーナー部では補強シート１が露出せず、射出圧による補強シート１の変形、位置ずれは発生せず、補強シート１の位置は安定して再現性良く成形できた。
【００３６】
（実施例２）
可動ピンの突当面先端に直径１０ｍｍ、高さ１０ｍｍで中心間距離が２０ｍｍの２つの円柱状突起部が設けた以外は実施例１と同様にして成形品を作製した。
片側（ゲートのあるコア金型面）には、補強シート１は露出したが、成形品のコーナー部では補強シート１が露出せず、射出圧による補強シート１の変形、位置ずれは発生せず、補強シート１の位置は安定して再現性良く成形できた。
【００３７】
（比較例１）
補強シートに開口部を形成しない以外は、実施例１と同様にして、補強シートを作製した。
【００３８】
成形は、前記の補強シートを勾配１５度の傾斜部分を持つ金型にセットして行った。補強シートは金型内に固定せずに、金型に配設した。成形樹脂は、実施例１同様の変性ポリプロピレン樹脂にチョップドガラス繊維を混練したＧＦＲＰを用い、実施例１同様の条件で、成形品を作製した。
【００３９】
成形品の断面を図９に示す。(ａ）は射出直後の模式図、（ｂ）は圧縮時の模式図を表す。
片側（ゲートの反対のあるキャビティ金型面）に補強シート１が露出する設定であるが、射出圧により補強シート１に変形、位置ずれが発生し、成形品のコーナー部では反対側（コア金型面）に補強シート１が露出してしまった。
【符号の説明】
【００４０】
１  補強シート、２  成形樹脂又は射出樹脂、３  可動ピン、４  キャビティ型（ゲート対向側）、５  コア型（ゲート側）又はゲート側金型、６  ゲート部又はゲート、７  補強シート開口部、８  スプリング機構、９  流路となる溝、１０  シリンダー、１１  丸ピン状の突起部又は角ピン状の突起部、１２  突起状のゲート部。
【図１】
2015231703.tif 000003
【図２】
2015231703.tif 000004
【図３】
2015231703.tif 000005
【図４】
2015231703.tif 000006
【図５】
2015231703.tif 000007
【図６】
2015231703.tif 000008
【図７】
2015231703.tif 000009
【図８】
2015231703.tif 000010
【図９】
2015231703.tif 000011